(57)【特許請求の範囲】
【請求項１】
電磁駆動される弁体が弁座に当接、離間することにより流体通路を開閉する電磁弁において、前記弁体を構成するホルダと弾性部材からなる弁板との間に緩衝部材を挟着するとともに、前記弁板の前記緩衝部材側の面上に複数の同心円状の突起部を設け、前記緩衝部材との間に空気層を形成したことを特徴とする電磁弁。
【請求項２】
前記緩衝部材が硬度４０°未満の発泡ゴム製としたことを特徴とする請求項１記載の電磁弁。
【請求項３】
前記弁体を構成するプランジャが開弁時に当接する個所に、硬度４０°未満の発泡ゴム製の弾性部材を設けたことを特徴とする請求項１または２記載の電磁弁。
【発明の詳細な説明】
【０００１】
【発明の属する技術分野】
本発明は流体通路を開閉するための電磁弁に関し、詳しくは、弁開閉時の衝突音を低減することができる電磁弁に関するものである。
【０００２】
【従来の技術】
流体通路の開閉に利用される電磁弁の、弁開閉時の衝突音を低減するための構成については、実開昭５７−１１７４７４号公報、特開平７−２２４９６２号公報等で公知である。前記公報によれば、弁体が着座するときの弁体の弁座当接側および弁体が離座するときの弁体のストッパ当接側に、弾性部材を設けることにより、弁体が弁座およびストッパに衝突するときの衝突音を低減するとしている。
【０００３】
【発明が解決しようとする課題】
しかしながら、弁座当接側に設けられた弾性部材は、閉弁時の衝突音の低減と耐久性の確保の両面から所定の硬度が必要とされ、この硬度を高く確保すると衝突音の低減に対しては不十分な場合がある。すなわち、衝突音を低減させるためには硬度を下げる方が効果的であり、耐久性を確保するためには硬度を上げる方が効果的であり、両方を満足させるためには硬度の選択範囲が限定され、衝突音の低減には不十分な場合がある。また、弁体が開弁時に当接する個所に設けられる弾性部材についても、閉弁時と同様に所定硬度以上の場合には、衝突音の低減に対しては不十分な場合がある。そこで本発明は、閉弁時の弁体の当接部に設けられる弾性部材（弁板）の硬度に影響されずに閉弁時の衝突音を低減することができる電磁弁を提供することを課題とする。同時に、開弁時の衝突音の低減も図ることを第２の課題とする。
【０００４】
【課題を解決するための手段】
前記課題の解決を目的としてなされた請求項１の発明は、電磁駆動される弁体が弁座に当接、離間することにより流体通路を開閉する電磁弁において、前記弁体を構成するホルダと弾性部材からなる弁板との間に緩衝部材を挟着するとともに、前記弁板の前記緩衝部材側の面上に複数の同心円状の突起部を設け、前記緩衝部材との間に空気層を形成したことを特徴とする。また、請求項２の発明は、前記緩衝部材が硬度４０°未満の発泡ゴム製としたことを特徴とする。また、請求項３の発明は、前記弁体を構成するプランジャが開弁時に当接する個所に、硬度４０°未満の発泡ゴム製の弾性部材を設けたことを特徴とする。
【０００５】
【発明の実施の形態】
本発明の望ましい実施形態について図面を参照して説明する。図１は本発明の一実施形態にかかる電磁弁の縦断面図である。図１において、電磁弁１は通路部１ａを構成する樹脂製の通路ハウジング２と、弁部１ｂを構成する弁体３を駆動するための電磁アクチュエータ部１ｃおよび電源を供給するためのコネクタ部１ｄを構成し、２次モールドにより形成される樹脂製のコイルハウジング４からなる。通路ハウジング２には流体の流入口２ａと流出口２ｂが設けられ、両者の間の通路２ｃに弁部１ｂが構成され、電磁駆動により通路２ｃを開閉する。流入口２ａは大気へ、流出口２ｂは内燃機関の各通路、例えばキャニスタあるいは吸気通路（何れも図示せず）等に接続されるよう構成されている。流入口２ａの内壁の延長線上に弁部１ｂを構成する弁座２ｅが通路ハウジング２に一体または一体的に形成されている。
【０００６】
弁部１ｂを構成する弁体３は、ホルダ７の突起部７ａに嵌合され止め具８で固定された、硬度７０°（７０ＩＲＨＤ）のゴム製の弾性部材からなる弁板９および後述する緩衝部材５と、ホルダ７に遊嵌されたロッド１０および、スプリング１９によりロッド１０の下端部で押圧されるプランジャ１１から成り、ロッド１０はプレート１２にカシメ付けられたステータ１３の中心を遊動できるよう構成されている。緩衝部材５は衝突音の低減のため緩衝材として機能し、材質としては例えば気泡構造を持ち柔軟性に富む発泡ゴム等、低硬度化しやすい硬度２０°〜４０°未満の材料が使用される。弁板９の緩衝部材５側の面上には複数（本実施形態では２本）の同心円状の突起部９ａ、９ｂが設けられ、緩衝部材５と重ね合わせられることにより、突起部９ａ、９ｂと緩衝部材５とにより隙間に空気層９ｃが形成される。すなわち、空気層９ｃは弁板９の弁座２ｅとの当接部分の裏側に形成されるよう配置されている。２本の同心円状の突起部９ａ、９ｂは、組付性を考慮して弁板９の弁座２ｅ側の面上にも設け、弁板９の表裏の識別作業を省略するようにしても、衝突音の低減効果は同じであり支障はない。なお、突起部９ａ、９ｂはゴム製の弁板９の嵌合部（中央部）からの洩れ防止機能も果たす。
【０００７】
弁体３はスプリング１９により開弁方向に付勢されている。プレート１２はボビン１４とともにコイルハウジング４と通路ハウジング２により挟持されている。ボビン１４にはコイル１５が巻回されコイル１５の一端はコネクタ部１ｄのターミナル１６に接続され（図示せず）他端はアースされて（図示せず）通電される。ボビン１４の下部には金属製のヨーク１７が設けられ、金属製のステータ１３およびプレート１２とともに閉磁路を形成する。プランジャ１１およびボビン１４の間には弾性部材１８が設けられ、弁体３の開弁時にプランジャ１１が当接するよう構成されている。弾性部材１８はボビン１４に設けられた突起部１４ａに嵌合されて固定される。弾性部材１８は硬度４０°未満の発泡ゴムにより形成されている。
【０００８】
次に本実施形態の作用について図１を参照して説明する。ターミナル１６を介してコイル１５に通電されるとプレート１２、ステータ１３、プランジャ１１、ヨーク１７とにより閉磁路が形成され、プランジャ１１が上に引き上げられるので弁体３はスプリング１９に抗して上方に移動し弁座２ｅに当接して通路２ｃを閉じる。この時、緩衝部材５により弁板９は柔軟に受けとめられ緩衝されることにより弁板９の衝突音が低減される。同時に、弁板９と緩衝部材５の間に設けられた空気層９ｃの空気層分だけ緩衝部材５が変形して緩衝され、弁板９の閉弁時の衝突音がさらに低減される。通電が止まり、弁体３がスプリング１９に押されて弁座２ｅを離れると、弁体３はスプリング１９の押圧力により下方に移動し、プランジャ１１が弾性部材１８に衝突するが、発泡ゴム製の弾性部材１８により衝突エネルギが吸収され弁体３は柔軟に受けとめられるので、開弁時の衝突音が低減される。上記の仕様では、従来に比較し開閉弁時の衝突音が約１０ｄＢ低減した。なお、発泡ゴム製の弾性部材１８の硬度は、スプリング１９の押圧力による弱い衝突であるため、緩衝部材５の硬度よりも高い傾向にある。
【０００９】
【発明の効果】
本発明は上述のように構成されているので以下の効果を奏する。すなわち、請求項１の発明においては、弁板とホルダの間に緩衝部材を介在させるとともに、弁板の緩衝部材側の面上に複数の同心円状の突起部を設けて空気層を形成したので、弁体が弁座に衝突したとき、緩衝部材により弁板を柔軟に受けとめて緩衝すると同時に、緩衝部材が空気層分だけ変形して緩衝するので、閉弁時の衝突音が弾性部材からなる弁板の硬度に影響されずに低減される。また、請求項２の発明においては、緩衝部材として発泡ゴムを使用することにより、低硬度の部材を容易に製造することができる。また、請求項３の発明においては、弁体を構成するプランジャが開弁時に当接する個所に設けられる弾性部材を、硬度４０°未満の発泡ゴム製としたので、衝突時に衝突エネルギを吸収して弁体を柔軟に受けとめるよう作用するため、開弁時の衝突音が十分に低減される。
【図面の簡単な説明】
【図１】本発明の一実施形態にかかる電磁弁の縦断面図である。
【符号の説明】
１    電磁弁
３    弁体
５    緩衝部材
７    ホルダ
９    弁板
９ａ  突起部
９ｂ  突起部
９ｃ  空気層
１８    弾性部材
【図１】
0003735800.tif 000002